(57)【特許請求の範囲】
【請求項１】
送信側のファクシミリ装置から送信される画像データを受信する画像データ受信手段と、
前記送信側のファクシミリ装置から送信された、Ｇ３規格で任意の信号として規定された送信端末識別情報を受信する送信端末識別情報受信手段と、
前記送信端末識別情報受信手段が受信した送信端末識別情報と、予め決められた振り分け条件と、に基づいて、いずれかの振り分け条件が満足される場合に、前記画像データ受信手段が受信した画像データを、複数の保存先のうちの少なくとも一つに振り分ける振り分け手段と、
を含み、
前記振り分け条件は保存先ごとに決められており、
前記振り分け手段は、
前記送信端末識別情報に含まれる数字を抽出することによって数字列を抽出する抽出手段と、
前記抽出手段によって抽出された数字列が、前記複数の保存先のうちの一の保存先に前記振り分け条件として関連付けられた基準数字列と対応する場合に、当該一の保存先に前記画像データを保存することを決定する決定手段と、を含み、
前記一の保存先に関連付けられた基準数字列には、一又は複数の任意の数字を表わす文字列が含まれている、
ことを特徴とするファクシミリ装置。
【請求項２】
送信側のファクシミリ装置から送信される画像データを受信する画像データ受信手段と、
前記送信側のファクシミリ装置から送信された、Ｇ３規格で任意の信号として規定された送信端末識別情報を受信する送信端末識別情報受信手段と、
前記送信端末識別情報受信手段が受信した送信端末識別情報と、予め決められた振り分け条件と、に基づいて、いずれかの振り分け条件が満足される場合に、前記画像データ受信手段が受信した画像データを、複数の保存先のうちの少なくとも一つに振り分ける振り分け手段と、
を含み、
前記振り分け条件は保存先ごとに決められており、
前記振り分け手段は、
前記送信端末識別情報に含まれる数字を抽出することによって数字列を抽出する抽出手段と、
前記抽出手段によって抽出された数字列が、前記複数の保存先のうちの一の保存先に前記振り分け条件として関連付けられた基準数字列と対応する場合に、当該一の保存先に前記画像データを保存することを決定する決定手段と、を含み、
前記決定手段は、前記一の保存先に関連付けられた基準数字列に一又は複数の任意の数字を表わす文字列が含まれている場合には、前記一の保存先に関連付けられた基準数字列と前記抽出手段によって抽出された数字列とを先頭から比較し、前記一の保存先に関連付けられた基準数字列に一又は複数の任意の数字を表わす文字列が含まれていない場合には、前記一の保存先に関連付けられた基準数字列と前記抽出手段によって抽出された数字列とを末尾から比較し、前記一の保存先に関連付けられた基準数字列と前記抽出手段によって抽出された数字列とが対応している場合に、当該一の保存先に前記画像データを保存することを決定する、
ことを特徴とするファクシミリ装置。
【請求項３】
前記決定手段は、前記画像データの振り分け条件に設定された優先度に基づいて、各振り分け条件を順番に選択し、選択された振り分け条件に基づいて、前記画像データの保存先を決定する、
ことを特徴とする請求項１又は２に記載のファクシミリ装置。
【請求項４】
送信側のファクシミリ装置から送信される画像データを受信する画像データ受信手段、
前記送信側のファクシミリ装置から送信された、Ｇ３規格で任意の信号として規定された送信端末識別情報を受信する送信端末識別情報受信手段、及び、
前記送信端末識別情報受信手段が受信した送信端末識別情報と、予め決められた振り分け条件と、に基づいて、いずれかの振り分け条件が満足される場合に、前記画像データ受信手段が受信した画像データを、複数の保存先のうちの少なくとも一つに振り分ける振り分け手段、
としてコンピュータを機能させ、
前記振り分け条件は保存先ごとに決められており、
前記振り分け手段は、
前記送信端末識別情報に含まれる数字を抽出することによって数字列を抽出する抽出手段と、
前記抽出手段によって抽出された数字列が、前記複数の保存先のうちの一の保存先に前記振り分け条件として関連付けられた基準数字列と対応する場合に、当該一の保存先に前記画像データを保存することを決定する決定手段と、を含み、
前記一の保存先に関連付けられた基準数字列には、一又は複数の任意の数字を表わす文字列が含まれている、
ことを特徴とするプログラム。
【請求項５】
送信側のファクシミリ装置から送信される画像データを受信する画像データ受信手段、
前記送信側のファクシミリ装置から送信された、Ｇ３規格で任意の信号として規定された送信端末識別情報を受信する送信端末識別情報受信手段、及び、
前記送信端末識別情報受信手段が受信した送信端末識別情報と、予め決められた振り分け条件と、に基づいて、いずれかの振り分け条件が満足される場合に、前記画像データ受信手段が受信した画像データを、複数の保存先のうちの少なくとも一つに振り分ける振り分け手段、
としてコンピュータを機能させ、
前記振り分け条件は保存先ごとに決められており、
前記振り分け手段は、
前記送信端末識別情報に含まれる数字を抽出することによって数字列を抽出する抽出手段と、
前記抽出手段によって抽出された数字列が、前記複数の保存先のうちの一の保存先に前記振り分け条件として関連付けられた基準数字列と対応する場合に、当該一の保存先に前記画像データを保存することを決定する決定手段と、を含み、
前記決定手段は、前記一の保存先に関連付けられた基準数字列に一又は複数の任意の数字を表わす文字列が含まれている場合には、前記一の保存先に関連付けられた基準数字列と前記抽出手段によって抽出された数字列とを先頭から比較し、前記一の保存先に関連付けられた基準数字列に一又は複数の任意の数字を表わす文字列が含まれていない場合には、前記一の保存先に関連付けられた基準数字列と前記抽出手段によって抽出された数字列とを末尾から比較し、前記一の保存先に関連付けられた基準数字列と前記抽出手段によって抽出された数字列とが対応している場合に、当該一の保存先に前記画像データを保存することを決定する、
ことを特徴とするプログラム。
【発明の詳細な説明】
【技術分野】
【０００１】
本発明はファクシミリ装置及びプログラムに関する。
【背景技術】
【０００２】
下記の特許文献１には、受信したファクシミリメッセージを当該ファクシミリメッセージの宛先情報に応じた記憶領域に記憶するファクシミリ装置が開示されている。
【先行技術文献】
【特許文献】
【０００３】
【特許文献１】特開２０００−１０１７７６号公報
【発明の概要】
【発明が解決しようとする課題】
【０００４】
本発明の目的は、ファクシミリのＧ３規格で任意の信号として規定された送信端末識別情報を利用して、受信画像データを送信元に応じた保存先に振り分けるファクシミリ装置及びプログラムを提供することである。
【課題を解決するための手段】
【０００５】
上記課題を解決するための請求項１に記載の発明は、送信側のファクシミリ装置から送信される画像データを受信する画像データ受信手段と、前記送信側のファクシミリ装置から送信された、Ｇ３規格で任意の信号として規定された送信端末識別情報を受信する送信端末識別情報受信手段と、前記送信端末識別情報受信手段が受信した送信端末識別情報と、予め決められた振り分け条件と、に基づいて、前記画像データ受信手段が受信した画像データを、複数の保存先のうちの少なくとも一つに振り分ける振り分け手段と、を含むことを特徴とするファクシミリ装置である。
【０００６】
また、請求項２に記載の発明は、前記送信端末識別情報に含まれる数字を抽出することによって数字列を抽出する抽出手段と、前記保存先に関連付けられた振り分け条件を前記数字列が満足する場合に、当該保存先に前記画像データを保存することを決定する決定手段と、さらに含むことを特徴とする。
【０００７】
また、請求項３に記載の発明は、前記決定手段は、前記保存先に関連付けられた数字列と前記抽出手段によって抽出された数字列とを末尾から比較し、前記保存先に関連付けられた数字列と前記抽出手段によって抽出された数字列とが一致した場合に、当該保存先に前記画像データを保存することを決定することを特徴とする。
【０００８】
また、請求項４に記載の発明は、前記決定手段は、前記画像データの振り分け条件に設定された優先度に基づいて、各振り分け条件を順番に選択し、選択された振り分け条件に基づいて、前記画像データの保存先を決定することを特徴とする。
【０００９】
また、上記課題を解決するための請求項５に記載の発明は、送信側のファクシミリ装置から送信される画像データを受信する画像データ受信手段、前記送信側のファクシミリ装置から送信された、Ｇ３規格で任意の信号として規定された送信端末識別情報を受信する送信端末識別情報受信手段、及び、前記送信端末識別情報受信手段が受信した送信端末識別情報と、予め決められた振り分け条件と、に基づいて、前記画像データ受信手段が受信した画像データを、複数の保存先のうちの少なくとも一つに振り分ける振り分け手段、としてコンピュータを機能させるためのプログラムである。
【発明の効果】
【００１０】
請求項１及び５に記載の発明によれば、ファクシミリのＧ３規格で任意の信号として規定された送信端末識別情報を利用して、受信画像データを送信元に応じた保存先に振り分けることができる。
【００１１】
請求項２に記載の発明によれば、送信端末識別情報に含まれる数字に着目して、受信画像データを送信元に応じた保存先に振り分けることができる。
【００１２】
請求項３に記載の発明によれば、送信端末識別情報から抽出された数字列と、保存先に関連付けられた数字列とを末尾から比較した結果によって、受信画像データの保存先を決定することができる。
【００１３】
請求項４に記載の発明によれば、受信画像データの保存先を送信端末識別情報に基づいて決定できなかった場合であっても、他の情報に基づいて、受信画像データの保存先を決定することができる。あるいは、受信画像データの保存先を他の情報に基づいて決定することができなかった場合であっても、送信端末識別情報に基づいて、受信画像データの保存先を決定することができる。
【図面の簡単な説明】
【００１４】
【図１】本発明の実施形態に係るファクシミリ装置のハードウェア構成の一例を示す図である。
【図２】受信画像データの振り分け機能について説明するための図である。
【図３】識別情報登録画面の一例を示す図である。
【図４】受信画像データの振り分け方法の他の例について説明するための図である。
【図５】受信画像データの振り分け方法の他の例について説明するための図である。
【図６】ファクシミリ装置の機能ブロック図である。
【図７】振り分け規則データの一例を示す図である。
【図８】保存先の決定処理の一例を示すフロー図である。
【図９】判定結果の例を示す図である。
【図１０】判定結果の他の例を示す図である。
【図１１】優先度設定画面の一例を示す図である。
【図１２】優先度データの一例を示す図である。
【図１３】振り分け規則データの他の一例を示す図である。
【図１４】振り分け規則データの他の一例を示す図である。
【図１５】保存先の決定処理の他の一例を示すフロー図である。
【図１６】受信ファクシミリ番号に関する振り分け条件を利用した保存先の決定処理の一例を示すフロー図である。
【発明を実施するための形態】
【００１５】
以下、本発明の実施形態の例について図面に基づき詳細に説明する。
【００１６】
図１は本発明の実施形態に係るファクシミリ装置のハードウェア構成の一例を示す。本実施形態に係るファクシミリ装置１０は公衆電話網等のネットワーク２に接続され、他のファクシミリ装置１０との間でファクシミリ通信を行う。ファクシミリ装置１０は、ＩＴＵ−ＴＳによって標準化されたファクシミリの国際規格に則ってファクシミリ通信を行う。なお以下では、ファクシミリ装置１０はＧ３規格に則ってファクシミリ通信を行うこととして説明する。
【００１７】
図１に示すように、ファクシミリ装置１０は制御部１１、記憶部１２、通信部１３、表示部１４、及び操作部１５を含む。制御部１１は例えば１又は複数のマイクロプロセッサ等を含み、記憶部１２に記憶されたプログラムに従って処理を実行する。記憶部１２は主記憶部（例えばＲＡＭ）及び補助記憶部（例えばＲＯＭ及びハードディスク）を含む。
【００１８】
通信部１３はネットワーク２を介してファクシミリ通信を行うためのものである。表示部１４は例えば液晶表示パネル又は有機ＥＬディスプレイ等であり、制御部１１の指示に従って画面を表示する。
【００１９】
操作部１５はユーザが操作を行うためのものである。一又は複数の操作部材がファクシミリ装置１０に備えられている場合、それら一又は複数の操作部材が操作部１５に相当する。例えば、一又は複数のキーをファクシミリ装置１０が備える場合、それら一又は複数のキーが操作部１５に相当する。また例えば、表示部１４上に重ねられたタッチパネルをファクシミリ装置１０が備える場合、タッチパネルが操作部１５に相当する。
【００２０】
ファクシミリ装置１０は、他のファクシミリ装置１０から受信した画像データを複数のボックスのいずれかに振り分ける機能を備えている。図２は受信画像データの振り分け機能について説明するための図である。
【００２１】
図２に示すように、ファクシミリ装置１０では、受信画像データを保存するための複数のボックス２０が予め設定されている。図２に示す例では四つのボックス２０が設定されている。なお、ボックス２０の数は四つに限られない。
【００２２】
例えば、ボックス２０にはパスワードが設定され、ボックス２０に保存された受信画像データを参照可能なユーザが一部のユーザに限定される。なお、ボックス２０にパスワードを設定することは必須ではなく、ボックス２０に保存された受信画像データを参照可能なユーザを一部のユーザに限定しないようにしてもよい。
【００２３】
なお、ここでは、受信画像データの保存先（振り分け先）となる対象のことを「ボックス」と名付けているが、受信画像データの保存先となる対象は「ボックス」以外の名前で呼ばれるものであってもよい。例えば、受信画像データの保存先となる対象は「フォルダ」又は「ディレクトリ」等であってもよい。
【００２４】
ファクシミリ装置１０では、Ｇ３規格において規定された送信端末識別情報（ＴＳＩ：Transmitting Subscriber Identification）に基づいて、受信画像データの振り分けが実行される。Ｇ３規格では、ファクシミリ通信の際に送信側から受信側に送信側の送信端末識別情報（ＴＳＩ）が送信できるように任意の信号として規定されている。
【００２５】
ファクシミリ送信時に送信端末識別情報（ＴＳＩ）として送信される識別情報は、予めユーザによってファクシミリ装置１０に登録される。例えば、ファクシミリ装置１０では、ユーザが予め定められた操作を行うことによって、上記識別情報を登録するための識別情報登録画面が表示部１４に表示される。
【００２６】
図３は識別情報登録画面の一例を示す。図３に示すように、識別情報登録画面３０は上記識別情報を入力するための入力欄３２を含む。ユーザは上記識別情報を入力欄３２に入力して登録ボタン３４を押下する。ユーザが登録ボタン３４を押下した場合、入力欄３２に入力された識別情報が記憶部１２に記憶される。なお、登録を中止する場合、ユーザは中止ボタン３６を押下する。
【００２７】
図２に示すように、一のファクシミリ装置１０（送信側のファクシミリ装置１０）から他のファクシミリ装置１０（受信側のファクシミリ装置１０）に画像データを送信する場合には、送信側のファクシミリ装置１０の記憶部１２に記憶された上記識別情報が送信端末識別情報（ＴＳＩ）として受信側のファクシミリ装置１０に送信される。
【００２８】
そして、受信側のファクシミリ装置１０では、送信側のファクシミリ装置１０から受信された送信端末識別情報（ＴＳＩ）を利用して、受信画像データの振り分けが実行される。すなわち、送信端末識別情報（ＴＳＩ）に応じたボックス２０が受信画像データの保存先として決定され、受信画像データが当該ボックス２０に保存される。このようにして、受信画像データが送信元に応じて振り分けられる。
【００２９】
なお、受信画像データを送信元に応じて振り分ける他の方法としては、通信事業者が提供する発信者番号通知サービスを利用する方法も考えられる。図４はこの方法について説明するための図である。
【００３０】
上記方法の場合、受信側のファクシミリ装置１０のユーザは発信者番号通知サービスに加入する。受信側のファクシミリ装置１０のユーザが発信者番号通知サービスに加入した場合、送信側のファクシミリ装置１０のファクシミリ番号（電話番号）が受信側のファクシミリ装置１０に通知される。この場合、受信側のファクシミリ装置１０では、発信者番号通知サービスによって通知される送信側のファクシミリ装置１０のファクシミリ番号に基づいて、受信画像データの保存先が決定される。すなわち、送信側のファクシミリ装置１０のファクシミリ番号に応じたボックス２０が受信画像データの保存先として決定され、受信画像データが当該ボックス２０に保存される。このようにしても、受信画像データが送信元に応じて振り分けられる。
【００３１】
しかしながら、発信者番号通知サービスの仕様は国（通信事業者）によって異なる場合がある。このため、各国において振り分け機能を実現するためには、その国における発信者番号通知サービスの仕様に合わせて振り分け機能を実現する必要がある。その結果、振り分け機能を実現するためのコストが増大してしまう。また、発信者番号通知サービスを利用する場合、受信側のファクシミリ装置１０のユーザは発信者番号通知サービスに加入する必要がある。
【００３２】
この点、本実施形態に係るファクシミリ装置１０では、ファクシミリの国際規格（Ｇ３規格）において規定された送信端末識別情報（ＴＳＩ）を利用して、受信画像データが送信元に応じて振り分けられる。すなわち、各国（又は各通信事業者）ごとの仕様の違いを考慮しなくても、送信元に応じた振り分け機能が実現される。また、本実施形態に係るファクシミリ装置１０では、受信側のファクシミリ装置１０のユーザが発信者番号通知サービスに加入しなくても、送信元に応じた振り分け機能が実現される。
【００３３】
また、受信画像データを送信元に応じて振り分ける他の方法としては、受信側のファクシミリ装置１０のファクシミリ番号（電話番号）として複数の番号を用意しておき、これら複数の番号を利用する方法も考えられる。図５はこの方法について説明するための図である。
【００３４】
上記方法の場合、ファクシミリ装置１０のユーザは、例えばダイヤルインサービス等を利用することによって、ファクシミリ装置１０のファクシミリ番号として複数の番号を用意する。そして、ファクシミリ装置１０のユーザは、他のユーザ（すなわち、他のファクシミリ装置１０のユーザ）に通知するファクシミリ番号を他のユーザによって変える。この場合、受信側のファクシミリ装置１０では、送信側のファクシミリ装置１０から発呼されたファクシミリ番号に基づいて、受信画像データの保存先が決定される。すなわち、送信側のファクシミリ装置１０から発呼されたファクシミリ番号に応じたボックス２０が受信画像データの保存先として決定され、受信画像データが当該ボックス２０に保存される。このようにしても、送信元に応じた振り分け機能が実現される。
【００３５】
しかしながら、この場合、受信側のファクシミリ装置１０のユーザはダイヤルインサービス等を利用することによって、受信側のファクシミリ装置１０のファクシミリ番号として複数の番号を予め用意しておく必要がある。
【００３６】
この点、本実施形態に係るファクシミリ装置１０では、受信側のファクシミリ装置１０のファクシミリ番号として複数の番号を予め用意しておかなくても、受信画像データが送信元に応じて振り分けられる。
【００３７】
以下、上記のような振り分け機能を実現するための構成について説明する。図６は、ファクシミリ装置１０で実現される機能ブロックのうちの、上記振り分け機能に関連する機能ブロックについて示す機能ブロック図である。
【００３８】
図６に示すように、ファクシミリ装置１０は画像データ受信部４０、送信端末識別情報受信部４２、及び振り分け部４４を含む。これらの機能ブロックは制御部１１によって実現される。すなわち、制御部１１がプログラムに従って処理を実行することによって、制御部１１がこれらの機能ブロックとして機能する。
【００３９】
画像データ受信部４０は、ファクシミリの国際規格に則って送信側のファクシミリ装置１０から送信された画像データを受信して取得する。送信端末識別情報受信部４２は、Ｇ３規格で任意の信号として規定された送信端末識別情報を、送信側のファクシミリ装置１０から受信して取得する。
【００４０】
例えば、Ｇ３規格では、ファクシミリ通信の際に送信側から受信側に送信端末識別情報（ＴＳＩ）を任意の信号として送信できるように規定されている。このため、Ｇ３規格に則って画像データの送受信が行われる場合、送信端末識別情報受信部４２は送信側のファクシミリ装置１０から送信される送信端末識別情報（ＴＳＩ）を受信して取得する。
【００４１】
振り分け部４４は、送信端末識別情報受信部４２が受信した送信端末識別情報と、予め決められた振り分け条件と、に基づいて、画像データ受信部４０が受信した画像データを、複数の保存先のうちの少なくとも一つに振り分ける。
【００４２】
上述したように、受信画像データの保存先となる対象は「ボックス」と呼ばれるものに限られない。例えば、受信画像データの保存先となる対象は「フォルダ」又は「ディレクトリ」等と呼ばれるものであってもよい。
【００４３】
例えば図２に示す例の場合、振り分け部４４は、受信画像データの保存先として、いずれかのボックス２０を、送信端末識別情報受信部４２によって受信された送信端末識別情報（ＴＳＩ）に基づいて決定する。
【００４４】
記憶部１２には、送信端末識別情報（ＴＳＩ）に基づいて受信画像データの保存先（振り分け先）を決定するためのデータ（以下「振り分け規則データ」と記載する。）が記憶されており、振り分け部４４は、この振り分け規則データに基づいて、受信画像データの保存先を決定する。
【００４５】
図７は振り分け規則データの一例を示す。図７に示す振り分け規則データは「ボックス」及び「振り分け条件」フィールドを含んでおり、ボックス２０ごとに振り分け条件が設定されている。なお、各ボックス２０の振り分け条件はファクシミリ装置１０のユーザによって設定される。
【００４６】
「ボックス」フィールドはボックスの識別情報を示す。「振り分け条件」フィールドは、受信画像データの保存先としてボックスが決定されるために送信端末識別情報（ＴＳＩ）が満足すべき条件を示す。
【００４７】
例えば、送信端末識別情報受信部４２によって受信された送信端末識別情報（ＴＳＩ）がボックスＡに関連付けられた振り分け条件を満足する場合、ボックスＡが受信画像データの保存先として決定される。
【００４８】
図７に示す振り分け規則データでは上記振り分け条件として数字列（以下「基準数字列」と呼ぶ。）が設定されている。図７において「＊」はワイルドカードであり、一又は複数の任意の数字に相当している。すなわち、図７に示す振り分け規則データでは、数字のみによって表された数字列だけでなく、数字とワイルドカード「＊」とによって表された数字列も基準数字列として設定されている。なお、ワイルドカード「＊」は基準数字列の先頭に設定されることができないように制限される。
【００４９】
以下、上記振り分け規則データに基づいて受信画像データの保存先を決定する処理について説明する。図８は当該処理の一例を示すフロー図である。
【００５０】
図８に示すように、まず、振り分け部４４（抽出手段）は、送信端末識別情報受信部４２によって受信された送信端末識別情報（ＴＳＩ）から数字以外の文字を取り除くことによって、数字列を抽出する（Ｓ１０１）。
【００５１】
例えば、送信端末識別情報（ＴＳＩ）が「０４５  １１１  ２２２２」である場合のように、「スペース」が送信端末識別情報（ＴＳＩ）に含まれる場合、ステップＳ１０１では、「スペース」が送信端末識別情報（ＴＳＩ）から取り除かれることによって、数字列「０４５１１１２２２２」が抽出される。
【００５２】
また例えば、送信端末識別情報（ＴＳＩ）が「＋８１  ４５−１１１−２２２２」である場合のように、「＋」、「−」、及び「スペース」が送信端末識別情報（ＴＳＩ）に含まれる場合、ステップＳ１０１では、「＋」、「−」、及び「スペース」が送信端末識別情報（ＴＳＩ）が取り除かれることによって、数字列「８１４５１１１２２２２」が抽出される。
【００５３】
ステップＳ１０１が実行された後、振り分け部４４は変数ｉの値を「１」に初期化する（Ｓ１０２）。そして、振り分け部４４（決定手段）は、第ｉ番目のボックス２０に関連付けられた振り分け条件を送信端末識別情報（ＴＳＩ）が満足するか否かを判定する（Ｓ１０３〜Ｓ１０７）。
【００５４】
具体的には、振り分け部４４は、第ｉ番目のボックス２０に関連付けられた基準数字列を振り分け規則データから取得する（Ｓ１０３）。そして、振り分け部４４は、ステップＳ１０３で取得された基準数字列にワイルドカード「＊」が含まれているか否かを判定する（Ｓ１０４）。
【００５５】
ワイルドカード「＊」が基準数字列に含まれていない場合、振り分け部４４は、ステップＳ１０１で取得された数字列と、ステップＳ１０３で取得された基準数字列とを末尾から順番に比較することによって、数字列が基準数字列に対応しているか否かを判定する（Ｓ１０５）。
【００５６】
例えば、基準数字列の文字数を「Ｎ」とすると、振り分け部４４は、ステップＳ１０１で取得された数字列のうちの末尾からＮ文字分の部分（すなわち、末尾の数字から、末尾からＮ文字目の数字までの部分）が基準数字列と一致するか否かを判定する。そして、それらが一致する場合、振り分け部４４は数字列が基準数字列に対応していると判定する。
【００５７】
図９はステップＳ１０５における判定結果の例を示す。なお、図９に示す例［１］〜［５］はいずれも、ステップＳ１０３で取得された基準数字列が「１１１２２２２」である場合を示している。なお、「１１１２２２２」は国番号及び市外局番をファクシミリ番号から除いたものに相当している。
【００５８】
図９に示す例［１］は、送信端末識別情報受信部４２によって受信された送信端末識別情報（ＴＳＩ）が「＋８１４５１１１２２２２」である場合である。この場合、ステップＳ１０１では数字列「８１４５１１１２２２２」が取得される。またこの場合、「Ｎ」は「７」であり、かつ、ステップＳ１０１で取得された数字列のうちの末尾から７文字分の部分「１１１２２２２」は基準数字列「１１１２２２２」と一致する。このため、振り分け部４４は数字列が基準数字列に対応していると判定する。
【００５９】
図９に示す例［２］は、送信端末識別情報受信部４２によって受信された送信端末識別情報（ＴＳＩ）が「＋８１  ４５−１１１−２２２２」である場合である。この場合、例［１］と同様に、ステップＳ１０１では数字列「８１４５１１１２２２２」が取得される。このため、例［１］と同様に、振り分け部４４は数字列が基準数字列に対応していると判定する。
【００６０】
図９に示す例［３］は、送信端末識別情報受信部４２によって受信された送信端末識別情報（ＴＳＩ）が「０４５１１１２２２２」である場合である。この場合、ステップＳ１０１では数字列「０４５１１１２２２２」が取得される。またこの場合、「Ｎ」は「７」であり、かつ、ステップＳ１０１で取得された数字列のうちの末尾から７文字分の部分「１１１２２２２」は基準数字列「１１１２２２２」と一致する。このため、振り分け部４４は数字列が基準数字列に対応していると判定する。
【００６１】
図９に示す例［４］は、送信端末識別情報受信部４２によって受信された送信端末識別情報（ＴＳＩ）が「０４５−１１１−２２２２」である場合である。この場合、例［３］と同様に、ステップＳ１０１では数字列「０４５１１１２２２２」が取得される。このため、例［３］と同様に、振り分け部４４は数字列が基準数字列に対応していると判定する。
【００６２】
図９に示す例［５］は、送信端末識別情報受信部４２によって受信された送信端末識別情報（ＴＳＩ）が「０４５  １１１  ２２２２」である場合である。この場合、例［３］と同様に、ステップＳ１０１では数字列「０４５１１１２２２２」が取得される。このため、例［３］と同様に、振り分け部４４は数字列が基準数字列に対応していると判定する。
【００６３】
一方、ステップＳ１０４において、ワイルドカード「＊」が基準数字列に含まれていると判定された場合、振り分け部４４は、ステップＳ１０１で取得された数字列と、ステップＳ１０３で取得された基準数字列とを先頭から順番に比較することによって、数字列が基準数字列に対応しているか否かを判定する（Ｓ１０６）。
【００６４】
例えば、ステップＳ１０３で取得された基準数字列のうちの、先頭の数字からワイルドカード「＊」の前の数字までの部分の文字数を「Ｍ」とすると、振り分け部４４は、ステップＳ１０１で取得された数字列と基準数字列との先頭からＭ文字分の部分（すなわち、先頭の数字から、先頭からＭ文字目の数字までの部分）が一致するか否かを判定する。そして、これらが一致する場合、振り分け部４４は数字列が基準数字列に対応していると判定する。
【００６５】
図１０はステップＳ１０６における判定結果の例を示す。なお、図１０に示す例［１］〜［３］はいずれも、ステップＳ１０３で取得された基準数字列が「０４２＊」である場合を示している。
【００６６】
図１０に示す例［１］は、送信端末識別情報受信部４２によって受信された送信端末識別情報（ＴＳＩ）が「０４２２２２３３３３」である場合である。この場合、ステップＳ１０１では数字列「０４２２２２３３３３」が取得される。またこの場合、「Ｍ」は「３」であり、かつ、ステップＳ１０１で取得された数字列と基準数字列との先頭から３文字分の部分「０４５」は一致する。このため、振り分け部４４は数字列が基準数字列に対応していると判定する。
【００６７】
図１０に示す例［２］は、送信端末識別情報受信部４２によって受信された送信端末識別情報（ＴＳＩ）が「０４２−２２２−３３３３」である場合である。この場合、例［１］と同様、ステップＳ１０１では数字列「０４２２２２３３３３」が取得される。このため、例［１］と同様、振り分け部４４は数字列が基準数字列に対応していると判定する。
【００６８】
図１０に示す例［３］は、送信端末識別情報受信部４２によって受信された送信端末識別情報（ＴＳＩ）が「０４２  ２２２  ３３３３」である場合である。この場合、例［１］と同様、ステップＳ１０１では数字列「０４２２２２３３３３」が取得される。このため、例［１］と同様、振り分け部４４は数字列が基準数字列に対応していると判定する。
【００６９】
ステップＳ１０５又はＳ１０６が実行された後、振り分け部４４は、ステップＳ１０５又はＳ１０６における比較結果が予め定められた結果であるか否かを判定する。ここで、「予め定められた結果」とは、数字列が基準数字列に対応しているとの結果である。このため、振り分け部４４は、ステップＳ１０１で取得された数字列がステップＳ１０３で取得された基準数字列に対応していると判定されたか否かを判定する（Ｓ１０７）。
【００７０】
数字列が基準数字列に対応していると判定された場合、振り分け部４４（決定手段）は、第ｉ番目のボックス２０を受信画像データの保存先として決定する（Ｓ１１０）。この場合、本処理は終了し、受信画像データは第ｉ番目のボックス２０に保存される。
【００７１】
一方、数字列が基準数字列に対応していないと判定された場合、振り分け部４４は変数ｉに１を加算し（Ｓ１０８）、変数ｉの値が４以下であるか否かを判定する（Ｓ１０９）。ここで、「４」はボックス２０の総数である。
【００７２】
変数ｉの値が４以下である場合、振り分け部４４はステップＳ１０３の処理を再実行する。一方、変数ｉの値が４以下でない場合とは、送信端末識別情報（ＴＳＩ）がいずれのボックス２０の振り分け条件も満足しなかった場合である。言い換えれば、いずれのボックス２０も受信画像データの保存先として決定されなかった場合である。この場合、本処理は終了し、受信画像データは通常の受信ボックスに保存される。
【００７３】
以上説明したファクシミリ装置１０によれば、振り分け部４４を備えることによって、ファクシミリの国際規格（Ｇ３規格）によって任意の信号として規定された送信端末識別情報を利用して、受信画像データが送信元に応じてボックス２０に振り分けられる。すなわち、ファクシミリ装置１０によれば、受信画像データを送信元に応じてボックス２０に振り分けることが、ファクシミリの国際規格（Ｇ３規格）に規定されている機能を利用して実現される。
【００７４】
例えば、受信画像データを送信元に応じてボックス２０に振り分ける方法としては、発信者番号通知サービスを利用する方法も考えられる（図４）。しかしながら、発信者番号通知サービスの仕様は国（通信事業者）ごとに異なるため、発信者番号通知サービスを利用した振り分け機能を各国において実現する場合には、その国における仕様に合わせて振り分け機能を実現する必要がある。この点、ファクシミリ装置１０によれば、受信画像データを送信元に応じてボックス２０に振り分けることが、発信者番号通知サービスを利用しなくても実現される。
【００７５】
また例えば、受信画像データを送信元に応じて親展ボックスに振り分ける方法としては、受信側のファクシミリ装置１０のファクシミリ番号として複数の番号を用意しておき、それら複数の番号を利用する方法も考えられる（図５）。しかしながら、この場合、受信側のファクシミリ装置１０のファクシミリ番号として複数の番号を用意する必要がある。この点、ファクシミリ装置１０によれば、受信画像データを送信元に応じてボックス２０に振り分けることが、受信側のファクシミリ装置１０のファクシミリ番号として複数の番号を用意しなくても実現される。
【００７６】
なお、上記の送信端末識別情報（ＴＳＩ）は、送信側のファクシミリ装置１０のユーザによって設定されるため、様々な形式で設定される可能性がある。例えば、例えば図９の例［２］〜［５］に示すような送信端末識別情報（ＴＳＩ）が設定される可能性がある。
【００７７】
すなわち、例えば図９の例［２］，［４］，［５］に示すように、「−」又は「スペース」等のような数字以外の文字を含む送信端末識別情報（ＴＳＩ）が設定される場合が想定される。この点、ファクシミリ装置１０では、図８のステップＳ１０１が実行されることによって、送信端末識別情報（ＴＳＩ）に含まれる数字のみに着目して、受信画像データの振り分けが実行される。すなわち、「−」又は「スペース」等のような数字以外の文字が送信端末識別情報（ＴＳＩ）に含まれていたとしても、受信画像データの振り分けが実行される。
【００７８】
また例えば、例えば図９の例［１］及び［２］に示すように、国番号を含む形式で送信端末識別情報（ＴＳＩ）が設定される場合と、図９の例［３］〜［５］に示すように、国番号を含まない形式で送信端末識別情報（ＴＳＩ）が設定される場合との両方が想定される。すなわち、送信端末識別情報（ＴＳＩ）の先頭側部分はユーザの設定の仕方によって異なることが想定される。この点、ファクシミリ装置１０では、図８のステップＳ１０５が実行される（すなわち、末尾側から比較が行われる）ことによって、いずれの場合にも受信画像データが送信元に応じて振り分けられる。
【００７９】
なお、本発明は以上に説明した実施形態に限定されるものではない。
【００８０】
［１］例えば、振り分け部４４（決定手段）は、複数種類の振り分け条件に設定された優先度に基づいて、当該複数振り分け条件のうちの各振り分け条件を順番に選択し、選択された振り分け条件に基づいて、受信画像データの保存先（振り分け先）を決定するようにしてもよい。
【００８１】
すなわち、振り分け部４４（決定手段）は、選択された振り分け条件に基づいて受信画像データの保存先を決定できなかった場合に、当該選択された振り分け条件の次に優先度が高い振り分け条件を新たに選択し、当該新たに選択された振り分け条件に基づいて、受信画像データの保存先を決定するようにしてもよい。
【００８２】
例えば、上記の「複数種類の振り分け条件」には、送信端末識別情報（ＴＳＩ）に関する振り分け条件、送信側ファクシミリ番号に関する振り分け条件、及び受信側ファクシミリ番号に関する振り分け条件のうちの複数が含まれる。以下では、送信端末識別情報（ＴＳＩ）に関する振り分け条件、送信側ファクシミリ番号に関する振り分け条件、及び受信側ファクシミリ番号に関する振り分け条件の３種類の振り分け条件が上記の「複数種類の振り分け条件」に相当する場合について説明する。
【００８３】
この場合、下記に説明するように、送信端末識別情報（ＴＳＩ）を利用した振り分け機能（図２）と、送信側ファクシミリ番号を利用した振り分け機能（図４）と、受信側ファクシミリ番号を利用した振り分け機能（図５）とが組み合わされることになる。
【００８４】
この変形例では、保存先を決定するために利用可能な各振り分け条件の優先度（言い換えれば、各振り分け機能の優先度）の優先度が設定される。この優先度は、ファクシミリ装置１０の開発者によって予め設定されていてもよいし、ユーザによって任意に設定されるようにしてもよい。以下では、上記の優先度がユーザによって任意に設定される場合について説明する。
【００８５】
ファクシミリ装置１０では、ユーザが予め定められた操作を行うことによって、上記の優先度を設定するための優先度設定画面が表示部１４に表示される。
【００８６】
図１１は優先度設定画面の一例を示す。図１１に示す優先度設定画面５０には、優先順位の設定対象を指定するための指定欄５２と、優先順位を指定するための指定欄５４とが表示されている。
【００８７】
例えば、送信端末識別情報（ＴＳＩ）に関する振り分け条件の優先順位として「１番目」を設定する場合、まずユーザは指定欄５２において「送信端末識別情報（ＴＳＩ）」を選択する。その後、ユーザは指定欄５４において「１番目」を設定する。
【００８８】
また、送信側ファクシミリ番号に関する振り分け条件の優先順位として「２番目」を設定する場合、まずユーザは指定欄５２において「送信側ファクシミリ番号」を選択する。その後、ユーザは指定欄５４において「２番目」を設定する。
【００８９】
さらに、受信側ファクシミリ番号に関する振り分け条件の優先順位として「３番目」を設定する場合、まずユーザは指定欄５２において「受信側ファクシミリ番号」を選択する。その後、ユーザは指定欄５４において「３番目」を設定する。
【００９０】
優先度の設定を中止する場合、ユーザは取消ボタン５８を押下する。優先度の設定が完了した場合、ユーザは決定ボタン５６を押下する。決定ボタン５６が押下された場合には、優先度設定画面５０においてなされた設定結果を示すデータ（以下「優先度データ」と記載する。）が記憶部１２に保存される。
【００９１】
図１２は優先度データの一例を示す。図１２に示すように、優先度データは、保存先を決定するための各振り分け条件の優先度を示すデータである。
【００９２】
図１２に示す優先度データでは、送信端末識別情報（ＴＳＩ）に関する振り分け条件の優先順位として「１番目」が設定されている。また、送信側ファクシミリ番号に関する振り分け条件の優先順位として「２番目」が設定され、受信側ファクシミリ番号に関する振り分け条件の優先順位として「３番目」が設定されている。
【００９３】
この場合、まず、受信画像データの保存先が、送信端末識別情報（ＴＳＩ）に関する振り分け条件に基づいて決定される（図２）。そして、受信画像データの保存先を送信端末識別情報（ＴＳＩ）に関する振り分け条件に基づいて決定することができなかった場合には、受信画像データの保存先が送信側ファクシミリ番号に関する振り分け条件に基づいて決定される（図４）。さらに、受信画像データの保存先を送信側ファクシミリ番号に関する振り分け条件に基づいて決定することができなかった場合には、受信画像データの保存先が受信側ファクシミリ番号に関する振り分け条件に基づいて決定される（図５）。
【００９４】
なお、この変形例では、受信画像データの保存先を決定するために利用される上記の各振り分け条件を示す振り分け規則データが設定される。
【００９５】
図１３は、送信側ファクシミリ番号に関する振り分け条件を示す振り分け規則データ（すなわち、送信側ファクシミリ番号に基づいて受信画像データの保存先を決定するための振り分け規則データ）の一例を示す。図１３に示す振り分け規則データにおいて、各ボックス２０に関連付けられた振り分け条件は、各ボックス２０が受信画像データの保存先として決定されるために送信側ファクシミリ番号が満足すべき条件を示す。なお、ボックス２０ごとの振り分け条件はファクシミリ装置１０のユーザによって設定される。
【００９６】
図１４は、受信側ファクシミリ番号に関する振り分け条件を示す振り分け規則データ（すなわち、受信側ファクシミリ番号に基づいて受信画像データの保存先を決定するための振り分け規則データ）の一例を示す。図１４に示す振り分け規則において、各ボックス２０に関連付けられた振り分け条件は、各ボックス２０が受信画像データの保存先として決定されるために受信側ファクシミリ番号が満足すべき条件を示す。なお、ボックス２０ごとの振り分け条件はファクシミリ装置１０のユーザによって設定される。
【００９７】
なお、送信端末識別情報（ＴＳＩ）に関する振り分け条件を示す振り分け規則データ（すなわち、送信端末識別情報（ＴＳＩ）に基づいて受信画像データの保存先を決定するための振り分け規則データ）は図７に示したデータと同様である。
【００９８】
図１５は、受信画像データの保存先を決定するための処理の一例を示すフロー図である。図１５に示すように、まず、振り分け部４４（決定手段）は変数ｎを「１」に初期化する（Ｓ２０１）。そして、振り分け部４４（決定手段）は、送信側ファクシミリ番号に対して設定された優先順位が「ｎ番目」であるか否かを判定する（Ｓ２０２）。
【００９９】
送信側ファクシミリ番号に対して設定された優先順位が「ｎ番目」でない場合、振り分け部４４（決定手段）は、受信側ファクシミリ番号に対して設定された優先順位が「ｎ番目」であるか否かを判定する（Ｓ２０３）。
【０１００】
受信側ファクシミリ番号に対して設定された優先順位が「ｎ番目」でない場合とは、送信端末識別情報（ＴＳＩ）に対して設定された優先順位が「ｎ番目」である場合である。この場合、振り分け部４４（決定手段）は、送信端末識別情報（ＴＳＩ）に関する振り分け条件を利用した保存先の決定処理を実行する（Ｓ２０４）。ステップＳ２０４で実行される処理は図８に示す処理と同様である。
【０１０１】
一方、ステップＳ２０３において、受信側ファクシミリ番号に対して設定された優先順位が「ｎ番目」であると判定された場合、振り分け部４４（決定手段）は、受信側ファクシミリ番号に関する振り分け条件を利用した保存先の決定処理を実行する（Ｓ２０５）。図１６はステップＳ２０５で実行される処理の一例を示すフロー図である。
【０１０２】
図１６に示すように、まず、振り分け部４４は受信側ファクシミリ番号を取得する（Ｓ３０１）。すなわち、振り分け部４４は、画像データの受信に用いられたファクシミリ番号（言い換えれば、送信側のファクシミリ装置１０が発呼したファクシミリ番号）を取得する。
【０１０３】
その後、振り分け部４４は変数ｉを「１」に初期化する（Ｓ３０２）。そして、振り分け部４４は、受信側ファクシミリ番号に関する振り分け条件を示す振り分け規則データ（図１４）を参照し、ステップＳ３０１で取得されたファクシミリ番号が、第ｉ番目のボックス２０に関連付けられた振り分け条件を満足するか否かを判定する（Ｓ３０３）。
【０１０４】
ファクシミリ番号が振り分け条件を満足する場合、振り分け部４４は、第ｉ番目のボックス２０を受信画像データの保存先として決定し（Ｓ３０６）、本処理は終了する。
【０１０５】
一方、ファクシミリ番号が振り分け条件を満足しない場合、振り分け部４４は変数ｉに１を加算し（Ｓ３０４）、変数ｉの値が４以下であるか否かを判定する（Ｓ３０５）。ここで、「４」はボックス２０の総数である。変数iの値が４以下である場合、振り分け部４４はステップＳ３０３の処理を再実行する。
【０１０６】
一方、変数ｉの値が４以下でない場合とは、ステップＳ３０１で取得されたファクシミリ番号がいずれのボックス２０に関連付けられた振り分け条件も満足しなかった場合である。この場合、いずれのボックス２０も受信画像データの保存先として決定されることなく、本処理は終了する。
【０１０７】
図１５のステップＳ２０２において、送信側ファクシミリ番号に対して設定された優先順位が「ｎ番目」であると判定された場合、振り分け部４４は、送信側ファクシミリ番号に関する振り分け条件を利用した保存先の決定処理を実行する（Ｓ２０６）。
【０１０８】
ステップＳ２０６で実行される処理は図１６に示す処理と類似する。ただし、この場合、図１６のステップＳ３０１において、振り分け部４４は送信側ファクシミリ番号を取得する。すなわち、振り分け部４４は送信側のファクシミリ装置１０のファクシミリ番号を取得する。
【０１０９】
また、図１６のステップＳ３０３において、振り分け部４４は、送信側ファクシミリ番号に関する振り分け条件を示す振り分け規則データ（図１３）を参照し、ステップＳ３０１で取得されたファクシミリ番号が、第ｉ番目のボックス２０に関連付けられた振り分け条件を満足するか否かを判定する。
【０１１０】
図１５のステップＳ２０４〜Ｓ２０６のいずれかが実行された後、振り分け部４４は、いずれかのボックス２０が受信画像データの保存先として決定されたか否かを判定する（Ｓ２０７）。
【０１１１】
いずれかのボックス２０が受信画像データの保存先として決定された場合には本処理は終了し、受信画像データは保存先として決定されたボックス２０に保存される。
【０１１２】
一方、いずれのボックス２０も受信画像データの保存先として決定されなかった場合、振り分け部４４は変数ｎの値に１を加算し（Ｓ２０８）、変数ｎの値が３以下であるか否かを判定する（Ｓ２０９）。ここで、「３」は、振り分け条件の種類の総数（言い換えれば、受信画像データの振り分けに利用可能な情報の総数）である。
【０１１３】
変数ｎの値が３以下である場合、振り分け部４４はステップＳ２０２の処理を再実行する。一方、変数ｎの値が３以下でない場合とは、すべての振り分け条件を利用して保存先の決定処理を実行したにもかかわらず、いずれのボックス２０も受信画像データの保存先として決定されなかった場合である。この場合、本処理は終了し、受信画像データは通常の受信ボックスに保存される。
【０１１４】
上記のようにすれば、ある情報（例えば送信端末識別情報（ＴＳＩ））に基づいて受信画像データの保存先を決定することができなかった場合であっても、他の情報（例えば送信側ファクシミリ番号又は受信側ファクシミリ番号）に基づいて受信画像データの保存先が決定される場合がある。上記のようにすれば、受信画像データの保存先が決定される可能性が向上される。
【０１１５】
［２］以上に説明した実施形態では、ワイルカード「＊」を含む基準数字列を設定することが可能になっていたが、ワイルカード「＊」を含む基準数字列を許容しないようにしてもよい。この場合、図８のステップＳ１０４，Ｓ１０６を省略するようにしてもよい。
【０１１６】
また、以上に説明した実施形態では、いずれか一つのボックス２０が受信画像データの保存先として決定されるようになっていたが、複数のボックス２０が受信画像データの保存先として決定されるようにしてもよい。
【０１１７】
また、記憶部１２に記憶されることとして説明したデータは、ファクシミリ装置１０からアクセス可能な他の装置に含まれる記憶部に記憶されるようにしてもよい。例えば、以上に説明した実施形態では、受信画像データがファクシミリ装置１０に含まれる記憶部１２に保存されるようになっていたが、受信画像データは、ファクシミリ装置１０からアクセス可能な他の装置に含まれる記憶部に保存されるようにしてもよい。
【０１１８】
また、ファクシミリ装置１０は、光ディスクやメモリカード等の情報記憶媒体に記憶されたプログラムをコンピュータにインストールすることによって実現されるようにしてもよい。あるいは、ファクシミリ装置１０は、ネットワークを介して供給されるプログラムをコンピュータにインストールすることによって実現されるようにしてもよい。
【符号の説明】
【０１１９】
１０  ファクシミリ装置、１１  制御部、１２  記憶部、１３  通信部、１４  表示部、１５  操作部、２０  ボックス、３０  識別情報登録画面、３２  入力欄、３４  登録ボタン、３６  中止ボタン、４０  画像データ受信部、４２  送信端末識別情報受信部、４４  振り分け部、５０  優先度設定画面、５２，５４  指定欄、５６  決定ボタン、５８  取消ボタン。
【要約】
【課題】ファクシミリのＧ３規格で任意の信号として規定された送信端末識別情報を利用して、受信画像データを送信元に応じた保存先に振り分けるファクシミリ装置及びプログラムを提供する。
【解決手段】画像データ受信部（４０）は、ファクシミリの国際規格に則って送信側のファクシミリ装置から送信される画像データを受信する。送信端末識別情報受信部（４２）は、送信側のファクシミリ装置から送信された、Ｇ３規格で任意の信号として規定された送信端末識別情報を、送信側のファクシミリ装置から受信する。振り分け部（４４）は、送信端末識別情報受信部（４２）が受信した送信端末識別情報と、予め決められた振り分け条件と、に基づいて、画像データ受信部（４０）が受信した画像データを、複数の保存先のうちの少なくとも一つに振り分ける。
【選択図】図６【図１】
0005582236.tif 000002
【図２】
0005582236.tif 000003
【図３】
0005582236.tif 000004
【図４】
0005582236.tif 000005
【図５】
0005582236.tif 000006
【図６】
0005582236.tif 000007
【図７】
0005582236.tif 000008
【図８】
0005582236.tif 000009
【図９】
0005582236.tif 000010
【図１０】
0005582236.tif 000011
【図１１】
0005582236.tif 000012
【図１２】
0005582236.tif 000013
【図１３】
0005582236.tif 000014
【図１４】
0005582236.tif 000015
【図１５】
0005582236.tif 000016
【図１６】
0005582236.tif 000017